(57)【要約】【課題】形状歪のない均一な磁気テープを得ることができる磁気テープ裁断機を提供する。【解決手段】巻き出しロールから送り出された磁気テープから成る広幅シート１２をスリッターナイフで裁断するまでの、前記シートの走行路に、広幅シート張力安定化装置４０を介在させる。前記シート１２を、前記装置４０の筺体４１内に設けた大径のロールＥ上に掛け回すとともに、両サイドの小径のロールＤ，Ｆ間との隙間に通す。筺体４１の上板４１ｕを貫通した排気口２８ａ〜２８ｃ、パイプ２９ａ〜２９ｃ、排気路５０を介してバキュームブロワーによって筺体４１内を吸引してロールＥ上の広幅シート１２を引き上げ、該引き上げ力とシート送りによる張力をバランスさせた状態で走行させる。これによって前記シート１２の幅方向の張力が均一化され、該シート１２上の形状歪みが改善される。【選択図】　図６
2004017210.tif 000002
【特許請求の範囲】
【請求項１】
長手方向に所定の張力がかけられた状態で走行する広幅シートの走行路に介在される広幅シートの張力安定化装置であって、
前記広幅シートの一方の面に当接され、幅方向の張力を均一化させるエリアを設定するエリア設定手段と、
前記広幅シートの他方の面側であって前記エリア設定手段と対向する側から、前記長手方向の張力よりも小さい引込力で前記広幅シートを引き込む引込手段とを備えたことを特徴とする広幅シートの張力安定化装置。
【請求項２】
前記引込手段は、
前記エリア設定手段から、該エリア設定手段と対向する側に所定距離隔てた部位までの空間を囲む筺体と、
前記筺体内の空間に連結され、該空間内を排気する排気手段と
を備えたことを特徴とする請求項１に記載の広幅シートの張力安定化装置。
【請求項３】
前記エリア設定手段は、
前記広幅シートの一方の面に当接され、該広幅シートの走行速度に応じて回転駆動される第１のロールと、
前記第１のロールに近設されるとともに前記広幅シートの他方の面に当接され、且つ前記広幅シートの走行速度に応じて回転駆動される第２のロールと
を有していることを特徴とする請求項１に記載の広幅シートの張力安定化装置。
【請求項４】
前記エリア設定手段は、
前記広幅シートの一方の面に当接され、該広幅シートの走行速度に応じて回転駆動される第１のロールと、
前記第１のロールに近設されるとともに前記広幅シートの他方の面に当接され、且つ前記広幅シートの走行速度に応じて回転駆動される第２のロールと
を有していることを特徴とする請求項２に記載の広幅シートの張力安定化装置。
【請求項５】
前記第１のロールの径は前記第２のロールの径よりも大きく構成されていることを特徴とする請求項３に記載の広幅シートの張力安定化装置。
【請求項６】
前記第１のロールの径は前記第２のロールの径よりも大きく構成されていることを特徴とする請求項４に記載の広幅シートの張力安定化装置。
【請求項７】
前記第１のロールおよび第２のロールの各端部と前記筺体とはメカニカルシールによって密封されていることを特徴とする請求項４に記載の広幅シートの張力安定化装置。
【請求項８】
前記第１のロールおよび第２のロールの各端部と前記筺体とはメカニカルシールによって密封されていることを特徴とする請求項６に記載の広幅シートの張力安定化装置。
【請求項９】
前記第２のロールの外周部と前記筺体との間の隙間を調整する手段を有していることを特徴とする請求項４に記載の広幅シートの張力安定化装置。
【請求項１０】
前記第１のロールと第２のロールとの間の隙間を調整する手段を有していることを特徴とする請求項４に記載の広幅シートの張力安定化装置。
【請求項１１】
長手方向に所定の張力がかけられた状態で走行する広幅シートの張力を安定化する方法であって、
前記走行する広幅シートの幅方向の張力を均一化させるエリアを設定するとともに、該設定されたエリアを、前記広幅シートの長手方向および幅方向に直交する方向に、前記長手方向の張力よりも小さい引込力で引き込むことを特徴とする広幅シートの張力安定化方法。
【請求項１２】
磁気テープから成る広幅シートを送り出す巻き出しロールと、前記送り出された広幅シートを所定の幅にカットする裁断手段と、前記裁断手段によりカットされたものを巻き取る巻き取りロールとを備えた磁気テープ裁断機において、
前記巻き出しロールと裁断手段の間の、所定の長手方向の張力で走行する広幅シートの走行路に介在され、前記広幅シートの一方の面に当接され、幅方向の張力を均一化させるエリアを設定するエリア設定手段と、
前記広幅シートの他方の面側であって前記エリア設定手段と対向する側から、前記長手方向の張力よりも小さい引込力で前記広幅シートを引き込む引込手段とを有した張力安定化装置
を備えたことを特徴とする磁気テープ裁断機。
【請求項１３】
前記引込手段は、
前記エリア設定手段から、該エリア設定手段と対向する側に所定距離隔てた部位までの空間を囲む筺体と、
前記筺体内の空間に連結され、該空間内を排気する排気手段と
を備えたことを特徴とする請求項１２に記載の磁気テープ裁断機。
【請求項１４】
前記エリア設定手段は、
前記広幅シートの一方の面に当接され、該広幅シートの走行速度に応じて回転駆動される第１のロールと、
前記第１のロールに近設されるとともに前記広幅シートの他方の面に当接され、且つ前記広幅シートの走行速度に応じて回転駆動される第２のロールと
を有していることを特徴とする請求項１２に記載の磁気テープ裁断機。
【請求項１５】
前記エリア設定手段は、
前記広幅シートの一方の面に当接され、該広幅シートの走行速度に応じて回転駆動される第１のロールと、
前記第１のロールに近設されるとともに前記広幅シートの他方の面に当接され、且つ前記広幅シートの走行速度に応じて回転駆動される第２のロールと
を有していることを特徴とする請求項１３に記載の磁気テープ裁断機。
【請求項１６】
前記第１のロールの径は前記第２のロールの径よりも大きく構成されていることを特徴とする請求項１４に記載の磁気テープ裁断機。
【請求項１７】
前記第１のロールの径は前記第２のロールの径よりも大きく構成されていることを特徴とする請求項１５に記載の磁気テープ裁断機。
【請求項１８】
前記第１のロールおよび第２のロールの各端部と前記筺体とはメカニカルシールによって密封されていることを特徴とする請求項１５に記載の磁気テープ裁断機。
【請求項１９】
前記第１のロールおよび第２のロールの各端部と前記筺体とはメカニカルシールによって密封されていることを特徴とする請求項１７に記載の磁気テープ裁断機。
【請求項２０】
前記第２のロールの外周部と前記筺体との間の隙間を調整する手段を有していることを特徴とする請求項１５に記載の磁気テープ裁断機。
【請求項２１】
前記第１のロールと第２のロールとの間の隙間を調整する手段を有していることを特徴とする請求項１４に記載の磁気テープ裁断機。
【請求項２２】
巻き出しロールから、磁気テープから成る広幅シートを送り出す第１の工程と、ピンチロールにより、前記巻き出しロールから送り出された前記広幅シートを裁断手段へ送り出す第２の工程と、前記裁断手段により、前記ピンチロールから送り出された前記広幅シートを所定の幅にカットする第３の工程と、巻き取りロールにより、前記裁断手段によりカットされたものを巻き取る第４の工程とを含む磁気テープの裁断方法において、
少なくとも前記第２の工程実施時に、前記送り出された広幅シートの幅方向の張力を均一化させるエリアを設定するとともに、該設定されたエリアを、前記広幅シートの長手方向および幅方向に直交する方向に、長手方向の張力よりも小さい引込力で引き込むことを特徴とする磁気テープの裁断方法。
【発明の詳細な説明】
【０００１】
【発明の属する技術分野】
本発明は、磁気テープ等の広幅シートの歪形状を改善する広幅シートの張力安定化装置およびその方法、および磁気テープの裁断機およびその裁断方法に関する。
【０００２】
【従来の技術】
磁気テープの製造工程のうち、裁断工程においては、表面処理および硬化処理が終わった広幅シート状のテープ（以下、広幅シートという）を所定の幅、長さに切断する。この切断する方法としては、上刃下刃から構成される一組のカッターの間に広幅シートを通す事によって、剪断力によってカッティングする方法が広く利用されている。
【０００３】
磁気テープ裁断機においては、広幅シートが、送り出しロールよりピンチロールを介してカッターに送り込まれ、カットされた後、巻き取りロールに巻き取られる。
【０００４】
通常、広幅シートを裁断する時は、裁断された後の全てのテープに対して、すなわち全チャンネルに均一に張力をかけている。
【０００５】
この場合図１１（ａ）に示すように、巻き出しロールが均一な張力で巻かれているロール（円筒型ロール）１ａであれば、該巻き出しロール１ａから送り出される広幅シート２ａは、図１１（ａ）のように上刃、下刃一組のカッターでカッティングされると、このカット幅ｂは図１１（ｃ）のようにほぼ一定となり、蛇行の小さい均一な磁気テープを得ることができる。
【０００６】
一方、ベースフィルムの形状が悪かったり、塗布工程にて、幅方向で部分的に塗布厚みが厚くなったりすると、厚さの差が累積されて、その軸方向において部分的に盛り上がった形状のロールができる場合がある。このようなロールは均一な張力で巻かれていない。
【０００７】
【発明が解決しようとする課題】
上述した軸方向において部分的に盛り上がった形状のロールや、その他広幅シートが均一な張力で巻かれていない巻き出しロールからのシートを裁断するときは、裁断後のテープの幅が変化したりテープの形状が蛇行したり裁断面が汚かったりして、均一な磁気テープを得ることができない場合があるという問題があった。
【０００８】
すなわち、例えば一定の幅に裁断しようとする時に、図１２（ａ）に示すように、軸方向に部分的に盛り上がり波打形状を示す巻き出しロール１ｂから送り出される広幅シート２ｂは、図１２（ｂ）のように一組のカッターでカッティングされた場合、巻き出しロール１ｂの形状がそのままテープ幅に反映される。
【０００９】
このためテープ幅については図１２（ｃ）のように、許容できないほど幅がΔｂ１、Δｂ２だけ広くなったり、また、テープの形状の蛇行については、テープがその平面方向に大きく波打って、その波形の最大振幅が許容範囲を超える場合がある。
【００１０】
従来、これらの軸方向において部分的に盛り上がった、形状不良の巻き出しロールから送られたテープを裁断する際に、その形状に関係無く対応して、形状を改善し、裁断するような手段がなかった。
【００１１】
また前記磁気テープ裁断機に限らず、例えば磁気テープ以外の材質から成る、原反としての広幅シートを加工して製品を作る場合に、当該広幅シートの幅方向に形成された歪形状（この歪形状部分は不均一である）は確実に除去されるべきものである。
【００１２】
本発明は上記の点に鑑みてなされたものでその目的は、形状歪のない均一な広幅シートを得ることができる広幅シートの張力安定化装置およびその方法と、磁気テープの裁断精度を向上させて形状歪のない均一な磁気テープを得ることができる磁気テープの裁断機およびその裁断方法を提供することにある。
【００１３】
【課題を解決するための手段】
本発明の広幅シートの張力安定化装置は、長手方向に所定の張力がかけられた状態で走行する広幅シートの走行路に介在される広幅シートの張力安定化装置であって、前記広幅シートの一方の面に当接され、幅方向の張力を均一化させるエリアを設定するエリア設定手段と、前記広幅シートの他方の面側であって前記エリア設定手段と対向する側から、前記長手方向の張力よりも小さい引込力で前記広幅シートを引き込む引込手段とを備えたことを特徴としている。
【００１４】
また前記引込手段は、前記エリア設定手段から、該エリア設定手段と対向する側に所定距離隔てた部位までの空間を囲む筺体と、前記筺体内の空間に連結され、該空間内を排気する排気手段とを備えたことを特徴としている。
【００１５】
また前記エリア設定手段は、前記広幅シートの一方の面に当接され、該広幅シートの走行速度に応じて回転駆動される第１のロールと、前記第１のロールに近設されるとともに前記広幅シートの他方の面に当接され、且つ前記広幅シートの走行速度に応じて回転駆動される第２のロールとを有していることを特徴としている。
【００１６】
また前記第１のロールの径は前記第２のロールの径よりも大きく構成されていることを特徴としている。
【００１７】
また前記第１のロールおよび第２のロールの各端部と前記筺体とはメカニカルシールによって密封されていることを特徴としている。
【００１８】
また前記第２のロールの外周部と前記筺体との間の隙間を調整する手段を有していることを特徴としている。
【００１９】
また前記第１のロールと第２のロールとの間の隙間を調整する手段を有していることを特徴としている。
【００２０】
また本発明の広幅シートの張力安定化方法は、前記走行する広幅シートの幅方向の張力を均一化させるエリアを設定するとともに、該設定されたエリアを、前記広幅シートの長手方向および幅方向に直交する方向に、前記長手方向の張力よりも小さい引込力で引き込むことを特徴としている。
【００２１】
また本発明の磁気テープ裁断機は、磁気テープから成る広幅シートを送り出す巻き出しロールと、前記送り出された広幅シートを所定の幅にカットする裁断手段と、前記裁断手段によりカットされたものを巻き取る巻き取りロールとを備えた磁気テープ裁断機において、前記巻き出しロールと裁断手段の間の、所定の長手方向の張力で走行する広幅シートの走行路に介在され、前記広幅シートの一方の面に当接され、幅方向の張力を均一化させるエリアを設定するエリア設定手段と、前記広幅シートの他方の面側であって前記エリア設定手段と対向する側から、前記長手方向の張力よりも小さい引込力で前記広幅シートを引き込む引込手段とを有した張力安定化装置を備えたことを特徴としている。
【００２２】
また前記引込手段は、前記エリア設定手段から、該エリア設定手段と対向する側に所定距離隔てた部位までの空間を囲む筺体と、前記筺体内の空間に連結され、該空間内を排気する排気手段とを備えたことを特徴としている。
【００２３】
また前記エリア設定手段は、前記広幅シートの一方の面に当接され、該広幅シートの走行速度に応じて回転駆動される第１のロールと、前記第１のロールに近設されるとともに前記広幅シートの他方の面に当接され、且つ前記広幅シートの走行速度に応じて回転駆動される第２のロールとを有していることを特徴としている。
【００２４】
また前記第１のロールの径は前記第２のロールの径よりも大きく構成されていることを特徴としている。
【００２５】
また前記第１のロールおよび第２のロールの各端部と前記筺体とはメカニカルシールによって密封されていることを特徴としている。
【００２６】
また前記第２のロールの外周部と前記筺体との間の隙間を調整する手段を有していることを特徴としている。
【００２７】
また前記第１のロールと第２のロールとの間の隙間を調整する手段を有していることを特徴としている。
【００２８】
また本発明の磁気テープの裁断方法は、巻き出しロールから、磁気テープから成る広幅シートを送り出す第１の工程と、ピンチロールにより、前記巻き出しロールから送り出された前記広幅シートを裁断手段へ送り出す第２の工程と、前記裁断手段により、前記ピンチロールから送り出された前記広幅シートを所定の幅にカットする第３の工程と、巻き取りロールにより、前記裁断手段によりカットされたものを巻き取る第４の工程とを含む磁気テープの裁断方法において、少なくとも前記第２の工程実施時に、前記送り出された広幅シートの幅方向の張力を均一化させるエリアを設定するとともに、該設定されたエリアを、前記広幅シートの長手方向および幅方向に直交する方向に、長手方向の張力よりも小さい引込力で引き込むことを特徴としている。
【００２９】
【発明の実施の形態】
以下、本発明の実施形態例を図面を参照しながら説明する。まず、磁気テープ裁断機に係る本発明の一実施形態例について説明する。図１は本実施形態例の全体構成を示す概念図である。
【００３０】
図１において、１１は金属製の円柱形の芯に広幅シート（表面処理および硬化処理が終わった磁気テープ）１２を巻回した巻き出しロールである。この巻き出しロール１１は、広幅シート１２をピンチロールに送り出し、該広幅シート１２はピンチロール１３および張力安定化装置２０を介してスリッターナイフ１４側に送られる。
【００３１】
スリッターナイフ１４は、その上刃下刃の剪断力により広幅シート１２を図１１（ｂ）で述べたようにして所定幅に裁断する。この裁断された広幅シート１２（テープ）は、複数の巻き取りロール１５，１５…によって１本、１本個別に巻き取られる。
【００３２】
ここで、巻き出しロール１１の一例を図１０に示す。図１０（ａ）は巻き出しロール１１の断面図を示し、金属製の円柱形の芯に、塗布工程で部分的に塗布厚が厚く塗られた広幅シートを巻いたものである。図示のように、厚さの差が累積され、軸方向の断面においてその部分が盛り上がった形状のロールとなる。また塗布厚が厚く塗られる部分は幅方向でランダムに発生するものと思われる。
【００３３】
図１０（ｂ）は上記ロール１１の広幅シート１２の一層を断面した概念図である。図１０（ｂ）において、盛り上がった形状の部分は張力が掛かっても、他の部分よりも張力が低く、波打ったようになっている。本実施形態例における巻き出しロール１１は図１０のようなロール（以下、波打ち型ロールと称する）を採用するものである。
【００３４】
前記ピンチロール１３は広幅シート１２を裁断する前に、広幅シート１２の張力を調整する機能を有している。ただし、従来、波打ち型ロールの場合は、広幅シート１２の幅方向では張力が不均一になっていることは前述したとおりである。
【００３５】
前記広幅シート張力安定化装置２０は、本実施形態例においては図１のようにピンチロール１３とスリッターナイフ１４の間に設置されている。
【００３６】
ここで、広幅シート張力安定化装置２０の詳細を図２〜図５とともに述べる。図２（ａ）は広幅シート張力安定化装置２０の正面構成を示し、図２（ｂ）は側面構成を示している。
【００３７】
図２において２１は、下面を開口した筺体（箱）であり、その開口部には同径の３本のロールＡ，Ｂ，Ｃ（例えば各径がφ６０）が同一平面上に並設されている。その中央のロールＢ上には所定の長手方向の張力で走行する広幅シート１２が掛け回され、該シート１２は左右のロールＡ，Ｃとの各隙間に通されている。
【００３８】
このロールＢと左右のロールＡ，Ｃとの隙間には、該隙間を調整するロール隙間調整ブロック（スペーサー）２２が例えば図３のように設けられている。
【００３９】
図３は筺体２１の後板２１ｒ側に配設されたロールＣと中央のロールＢの各側面の構成を拡大した図である。ロールＢとロールＡ，Ｃとの隙間は、１ｍｍから５ｍｍの範囲で調整できる構造となっており、広幅シート１２の厚みや形状により、最適な隙間を選択する必要がある。
【００４０】
また同様の理由により、筺体２１の前後板２１ｆ，２１ｒとロールＡ，Ｃとの隙間を調整する隙間調整板２３が設けられている。この隙間は１ｍｍから５ｍｍの範囲で調整できる構造となっている。
【００４１】
これらロール隙間調整ブロック２２および隙間調整板２３は、筺体２１内を後述する手段によって減圧し排気させたときの排気力の安定化を図る作用を奏する。
【００４２】
前記各ロールＡ，Ｂ、Ｃの両側軸端は、例えばメカニカルシール、ラビリンスシール等の密封方式によって筺体２１の側板２１ｓに回転自在に取り付けられている。
【００４３】
すなわち各ロールＡ，Ｂ，Ｃの両側軸端部における排気口をできるだけ小さくするために、例えば図４のメカニカルシールに示すように、該ロール外径と同じ径のリングを設け、それに相対するリングを側板２１ｓに固定して構成される。
【００４４】
尚図４は１本のロールの片側軸端部分のみを拡大して表しており、また図２（ａ）は前板２１ｆおよびロールＡを除去した正面図を示している。
【００４５】
前記ロールＡ，Ｂ，Ｃは広幅シート１２と接触するので、すり傷の防止の為に、各ロールＡ，Ｂ，Ｃを回転駆動するように構成している。
【００４６】
すなわち、各ロールＡ，Ｂ，Ｃの軸端部に取り付けられたプーリー２５およびベルト２６を介してサーボモーター２７（側板２１ｓの外側に固設されている）によって回転制御できる構造となっている。
【００４７】
筺体２１の上板２１ｕには、排気口２８ａ〜２８ｃが筺体２１内に連結されるように複数のパイプ２９ａ〜２９ｃが一体に形成されている。
【００４８】
このパイプ２９ａ〜２９ｃは排気装置３０に接続されていて、この排気装置３０の制御により、筺体２１内部の空気を排出させて筺体２１内に減圧状態を生成できる構造になっている。
【００４９】
上記のように構成された装置において、広幅シート１２は一定の張力が掛かった状態で走行するが、図１０で述べたように、巻き出しロール１１は波打ち型ロールであり、広幅シート１２もその部分が波打っており、その部分に均一に張力が掛かっていない状態である。
【００５０】
このような状態で、張力安定化装置内を排気し、筺体２１内を減圧して引き上げ力を付与し、この引き上げ力と広幅シート１２の送りによる張力をバランスさせた状態で走行させると、図５のように広幅シート１２がロールＢ上で浮上する。
【００５１】
このようにロールＢ上に巻かれた広幅シート部分が負圧を受けて浮上するので、ロールＢは幅方向の張力を均一化するエリアを特定（設定）する働きをしている。またロールＡ，Ｃは、ロールＢで特定された前記エリア以外のエリアのシートを押さえる働きをする。
【００５２】
上記のように、浮上、走行することにより、広幅シート１２は幅全体に均一な張力がかかる。これによって広幅シート１２の波打ち形状が改善される。
【００５３】
この時のシート浮上量は１ｍｍ位が望ましいが、広幅シート１２の形状歪状態により変化する。なお、引き上げ力が張力以上になると、広幅シート１２は排気口２８ａ〜２８ｃに密着して走行不能になってしまう。よって、引き上げ力（Ｆ）と張力（Ｔ）の関係は、Ｆ＜Ｔの状態でなければならない。
【００５４】
また、広幅シート１２の幅は、例えば１２吋（３０４．８ｍｍ）又は２４吋（６０９．６ｍｍ）にも対応可能である。ただし、これらの長さに限定されないことはもちろんである。
【００５５】
以上のことから、本実施形態例によれば、広幅シート張力安定化装置２０によって、巻き出しロールの形状に関係なく、テープ全幅に均一に張力をかけることができるので、ベースの形状不良などが解消され、裁断精度は向上する。
【００５６】
また形状不良の巻き出しロールに起因する、テープの幅の変動や蛇行の発生を抑制することができ、不良品が減少することになり、歩留まりの向上を図ることができ、かつ、均一な磁気テープを得ることができる。
【００５７】
尚前記のように広幅シート１２を垂直方向に引き上げるに限らず、装置を所定角度、例えば９０°回転させて配設し、前記シートを水平方向に引き込むように広幅シート張力安定化装置２０を構成しても良い。
【００５８】
本実施形態例では、本発明の、広幅シートを引き込む引込手段を、筺体２１、排気口２８ａ〜２８ｃ、パイプ２９ａ〜２９ｃ、排気装置３０等で構成したが、これに限らず同様の作用を奏する他の装置で構成しても良い。また前記排気口、パイプの個数も他の個数に構成しても良い。
【００５９】
また本実施形態例では、本発明のエリア設定手段を、ロールＢ（第１のロール）、ロールＡ，Ｃ（第２のロール）で構成したが、これに限らず同様の作用を奏する他の装置で構成しても良い。また前記ロール（Ａ，Ｂ，Ｃ）の個数も図２のものに限定されるものではない。
【００６０】
また前記広幅シートの走行路に前記広幅シート張力安定化装置２０を複数介在させても良い。
【００６１】
次に本発明の他の実施形態例を図６〜図８とともに説明する。この実施形態例では、前記広幅シート張力安定化装置２０のロール（エリア設定手段）の構成を図６のように変更しており、図１、図２と同一部分は同一符号をもって示す。
【００６２】
図６（ａ）は広幅シート張力安定化装置４０の正面構成を示し、図６（ｂ）は側面構成を示している。
【００６３】
図６において４１は、下面を開口した筺体（箱）であり、その開口部には同一平面に互いに所定距離隔てて同一径のロールＤ，Ｆ（第２のロール）（例えば各径がφ６０）が配設されている。前記ロールＤ，Ｆ間であって、該ロールＤ，Ｆの中心を結ぶ平面よりも所定距離上方の位置には、ロールＤ，Ｆの径より大きい径のロールＥ（第１のロール）（例えばφ８０）が配設されている。
【００６４】
ロールＥ上には所定の長手方向の張力で走行する広幅シート１２が掛け回され、該シート１２はロールＤ，Ｆとの各隙間に通されている。２３は図２と同様の隙間調整板である。
【００６５】
前記各ロールＤ，Ｅ，Ｆの両側軸端は、図２と同様の密封方式によって筺体４１の側板４１ｓに回転自在に取り付けられている。
【００６６】
尚図６（ａ）は前板４１ｆを除去した正面図を示し、前記各ロールＤ〜Ｆを回転駆動するためのプーリー、ベルト、サーボモーター等は前記図２と同様に構成されるが、図示省略している。
【００６７】
また筺体４１内の空気は前記同様に吸い込まれ、排気口２８ａ〜２８ｃ、パイプ２９ａ〜２９ｃおよび排気路５０を介して図示しないバキュームブロワーへ排出されるように構成されている。
【００６８】
図７は広幅シート張力安定化装置４０を用いた磁気テープ裁断機の全体構成を示しており、図１と同一部分は同一符号をもって示している。
【００６９】
磁気テープの裁断工程は図１と同様であるが、広幅シート１２は広幅シート安定化装置４０の入口、出口側に追加設置されたガイドロール６１ａ，６１ｂを介して出入りする。
【００７０】
７０は制御盤であり、筺体４１に設けられたマノメーター６２による圧力測定値やブロワー６３の状態等を監視し、圧力制御等を行う。
【００７１】
図６、図７の場合も図１、図２と同様に、筺体４１内を減圧して引き上げ力を付与し、該引き上げ力と広幅シート１２の送りによる張力をバランスさせた状態で走行させると、広幅シート１２がロールＥ上で浮上する。
【００７２】
この際、ロールＥ上に巻かれた広幅シート部分が負圧を受けて浮上するので、ロールＥは幅方向の張力を均一化するエリアを特定（設定）する働きをしている。またロールＤ，Ｆは、ロールＥで特定された前記エリア以外のエリアのシートを押さえる働きをする。
【００７３】
上記のように、浮上、走行することにより、広幅シート１２は幅全体に均一な張力がかかり、該シートの波打ち形状が改善される。
【００７４】
また、シートの引き上げ力（Ｆ）と張力（Ｔ）の関係は、Ｆ＜Ｔの状態とすることは図２の場合と同様である。
【００７５】
前記ロールＥ上に掛け回される広幅シート１２の抱き角は、図８（ロールＥ，Ｆを拡大した図）に示すように１８０°を超え、図１、図２の実施形態例よりも大きくなる。このため負圧を受ける面積が大となって（例えば４／３倍）、弱い圧力でも吸い上げが可能となる。
【００７６】
したがって排気装置の容量は小さくて済み、設置面積の縮小化およびコストの低減化を図ることができる。
【００７７】
また図６、図７の構成によれば、図１、図２のように同一平面上に３本のロールＡ，Ｂ，Ｃを設置する場合よりもロール設置面積が少なくて済み、省スペース化が図られる。
【００７８】
尚前記のように広幅シート１２を垂直方向に引き上げるに限らず、装置を所定角度、例えば９０°回転させて配設し、前記シートを水平方向に引き込むように広幅シート張力安定化装置４０を構成しても良い。
【００７９】
また前記広幅シートの走行路に前記広幅シート張力安定化装置４０を複数介在させても良い。
【００８０】
次に本発明の磁気テープの裁断方法の実施形態例を述べる。本実施形態例では、巻き出しロールから広幅シート状の磁気テープを送り出す第１の工程と、ピンチロールにより、前記巻き出しロールから送り出された前記磁気テープを裁断手段へ送り出す第２の工程と、前記裁断手段により、前記ピンチロールから送り出された前記磁気テープを所定の幅にカットする第３の工程と、巻き取りロールにより、前記裁断手段によりカットされた磁気テープを巻き取る第４の工程とを含む磁気テープの裁断方法において、少なくとも前記第２の工程実施時に、前記送り出された磁気テープの幅方向の張力を均一化させるエリアを設定するとともに、該設定されたエリアを、前記磁気テープの長手方向および幅方向に直交する方向に、長手方向の張力よりも小さい引込力で引き込む。
【００８１】
この際、前記磁気テープの幅方向の張力を均一化させるエリアを設定することと、磁気テープを引き込むことは、例えば図２、図６の広幅シート張力安定化装置を用いて行う。
【００８２】
また本発明の方法は、ピンチロールから裁断手段へ送り出す前記第２の工程時に実施するに限らず、巻き出しロールから磁気テープを送り出す第１の工程時に実施しても良い。
【００８３】
次に本発明の広幅シートの張力安定化装置の実施形態例を述べる。本実施形態例では、磁気テープ以外の材質から成る、原反としての広幅シート（幅方向の歪形状部分を有しているシート）を加工して製品を作る装置において、所定の張力がかけられた状態で走行する広幅シートの走行路に、例えば図２、図６の広幅シート張力安定化装置を前記と同様に介在させて構成するものである。
【００８４】
本実施形態例によれば、前記図２、図６で述べた作用と同様の作用によって、広幅シートの前記歪形状は確実に除去される。
【００８５】
本実施形態例は特に、機能性高分子フィルム（電子ディスプレイ用の光学フィルム、導電性フィルム等）に適用し、その歪形状部分を除去するのに有用である。
【００８６】
次に本発明の広幅シートの張力安定化方法の実施形態例を述べる。本実施形態例では、長手方向に所定の張力がかけられた状態で走行する磁気テープやその他の広幅シートの、幅方向の張力を均一化させるエリアを設定するとともに、該設定されたエリアを、前記広幅シートの長手方向および幅方向に直交する方向に、前記長手方向の張力よりも小さい引込力で引き込む。
【００８７】
この際、前記広幅シートの幅方向の張力を均一化させるエリアを設定することと、広幅シートを引き込むことは、例えば図２、図６の広幅シート張力安定化装置を用いて行うものである。
【００８８】
本実施形態例によれば、前記図２、図６で述べた作用と同様の作用によって、広幅シートの前記歪形状は確実に除去される。
【００８９】
本実施形態例は特に、機能性高分子フィルム（電子ディスプレイ用の光学フィルム、導電性フィルム等）に適用し、その歪形状部分を除去するのに有用である。
【００９０】
次に本発明を適用して磁気テープを裁断したときの裁断テープ幅のバラツキを以下の条件で測定し、その結果を図９に示す。
【００９１】
この測定で使用した磁気テープは、ＰＥＴをベースとするフィルム（厚み１０．５μｍ）に磁性塗料を塗布し、厚み合計を１３．６μｍとし、幅１２．６５ｍｍで裁断した。尚測定サンプル数は８万個以上採取した。
【００９２】
図９は横軸をテープ幅、縦軸を測定度数としており、曲線Ｌ１は従来の磁気テープ裁断機により裁断した結果を示し、曲線Ｌ２は本発明の装置を適用して裁断した結果を示している。
【００９３】
図９において、裁断テープ幅の平均値（Ｍｅａｎ　Ｖａｌｕｅ）および、その度数分布のバラツキを標準偏差（Ｓｔａｎｄａｒｄ　Ｄｅｖｉａｔｉｏｎ）で示す。以上の単位はｍｍである。
【００９４】
図９から、本発明による曲線Ｌ２のほうが、曲線Ｌ１よりも先鋭なカーブを描いているので、すなわち標準偏差が０．００３２ｍｍ→０．００２３ｍｍとなり、約１μｍテープ裁断幅のバラツキが改善されたことがわかる。
【００９５】
【発明の効果】
（１）以上のように請求項１〜１１に記載の本発明によれば、広幅シートの幅方向の張力が均一化され、シート幅の変動や蛇行の発生を抑制することができる。このため不良品が減少し、歩留まりの向上を図ることができ、且つ形状歪のない均一なシートを得ることができる。
【００９６】
例えば広幅シートが波打ち型ロールに巻かれているシートである場合に、本発明の張力安定化装置を用いることによって、波打ち型ロールに起因するシートの形状歪が確実に除去される。
（２）また請求項３、４に記載の本発明によれば、広幅シートの幅方向の張力を均一化させるエリアを確実に特定することができる。
（３）また請求項５、６に記載の本発明によれば、第１のロールの広幅シートの抱き角が大きくなり、該シートの引込力を受ける面積が広くなって、弱い引込力で済む。このため、引込手段、例えば排気手段の容量、スペースを縮小化することができる。またエリア設定手段の、例えば筺体を小さく設計することができ、装置の小型化を図ることができる。
（４）また請求項７、８に記載の本発明によれば、メカニカルシールによる密封構造が形成されるため、広幅シートを引き込む際の吸い込み開口が狭くなって、引込力が安定化される。
（５）また請求項９、１０に記載の本発明によれば、隙間を調整することによって、広幅シートを引き込む際の吸込力（排気力）を安定化することができる。
（６）また請求項１１に記載の本発明によれば、広幅シートの幅方向の張力が均一化され、シート幅の変動や蛇行の発生を抑制することができる。このため不良品が減少し、歩留まりの向上を図ることができ、且つ形状歪のない均一なシートを得ることができる。
（７）また請求項１２〜２１に記載の本発明によれば、磁気テープの裁断機において、広幅シート状の磁気テープの幅方向の張力が均一化され、テープ幅の変動や蛇行の発生を抑制することができ、裁断精度が向上する。このため不良品が減少し、歩留まりの向上を図ることができ、且つ形状歪のない均一な磁気テープを得ることができる。
（８）また請求項１４、１５に記載の本発明によれば、磁気テープの幅方向の張力を均一化させるエリアを確実に特定することができる。
（９）また請求項１６、１７に記載の本発明によれば、第１のロールの磁気テープの抱き角が大きくなり、該テープの引込力を受ける面積が広くなって、弱い引込力で済む。このため、引込手段、例えば排気手段の容量、スペースを縮小化することができる。またエリア設定手段の、例えば筺体を小さく設計することができ、装置の小型化を図ることができる。
（１０）また請求項１８、１９に記載の本発明によれば、メカニカルシールによる密封構造が形成されるため、磁気テープを引き込む際の吸い込み開口が狭くなって、引込力が安定化される。
（１１）また請求項２０、２１に記載の本発明によれば、隙間を調整することによって、磁気テープを引き込む際の吸込力（排気力）を安定化することができる。
（１２）また請求項２２に記載の本発明によれば、広幅シート状の磁気テープの幅方向の張力を均一化して裁断することができ、テープ幅の変動や蛇行の発生を抑制することができ、裁断精度が向上する。このため不良品が減少し、歩留まりの向上を図ることができ、且つ形状歪のない均一な磁気テープを得ることができる。
【図面の簡単な説明】
【図１】本発明の磁気テープ裁断機の一実施形態例を示す概略構成図。
【図２】本発明の一実施形態例を表し、（ａ）は正面構成図、（ｂ）は側面構成図。
【図３】図２（ｂ）の要部拡大図。
【図４】図２（ａ）の要部拡大図。
【図５】図２の要部説明図。
【図６】本発明の他の実施形態例を表し、（ａ）は正面構成図、（ｂ）は側面構成図。
【図７】本発明の磁気テープ裁断機の他の実施形態例を示す全体構成図。
【図８】図６（ｂ）の要部拡大図。
【図９】本発明の効果を説明するためのテープ幅と測定度数の関係を示すグラフ。
【図１０】本発明で用いる波打ち型巻き出しロールを表し、（ａ）はロールの断面構成図、（ｂ）はシートの拡大図。
【図１１】巻き出しロールから送り出される広幅シートを裁断機により裁断したときの結果を示す説明図。
【図１２】巻き出しロールから送り出される歪形状部を有した広幅シートを裁断機により裁断したときの結果を示す説明図。
【符号の説明】
１１…巻き出しロール、１２…広幅シート、１３…ピンチロール、１４…スリッターナイフ、１５…巻き取りロール、２０，４０…広幅シート張力安定化装置、２１，４１…筺体、２２…ロール隙間調整ブロック、２３…隙間調整板、２４…メカニカルシール、２５…プーリー、２６…ベルト、２７…サーボモーター、２８ａ〜２８ｃ…排気口、２９ａ〜２９ｃ…パイプ、３０…排気装置、５０…排気路、６１ａ，６１ｂ…ガイドローラー、６２…マノメーター、６３…ブロワー、７０…制御盤。
【図１】
2004017210.tif 000003
【図２】
2004017210.tif 000004
【図３】
2004017210.tif 000005
【図４】
2004017210.tif 000006
【図５】
2004017210.tif 000007
【図６】
2004017210.tif 000008
【図７】
2004017210.tif 000009
【図８】
2004017210.tif 000010
【図９】
2004017210.tif 000011
【図１０】
2004017210.tif 000012
【図１１】
2004017210.tif 000013
【図１２】
2004017210.tif 000014